【手続補正書】
【提出日】平成31年1月9日(2019.1.9)
【手続補正１】
【補正対象書類名】特許請求の範囲
【補正対象項目名】全文
【補正方法】変更
【補正の内容】
【特許請求の範囲】
【請求項１】
１つ以上のプロセッサと複数のコンピュータ可読命令を記憶する少なくとも１つのメモリとを含む保険システムサーバを備え、
前記複数のコンピュータ可読命令が前記１つ以上のプロセッサによって実行されると、前記保険システムサーバは以下の、
履歴データに基づいて、平均的ユーザに所定期間保険を提供するための費用を表すリスクユニットを判定する処理と、
少なくとも第１のユーザに対し、前記第１のユーザの車両のための保険ポリシーに関連する前記第１のユーザと関連付けられたリスクユニット口座に保管される所定数のリスクユニットを提供する処理と、
前記車両上に配置された少なくとも１つのセンサから、前記第１のユーザ、及び前記車両が操作されている環境のうちの少なくとも１つと関連付けられた運転データを受信する処理と、
前記受信された運転データを分析して、前記リスクユニットの消費率を判定する処理と、
前記車両の操作に基づいて、前記判定された消費率で前記第１のユーザと関連付けられた前記リスクユニット口座内のリスクユニット数を減らす処理と、を実行することを特徴とするリスクユニットベースの保険システム。
【請求項２】
前記所定期間は、１週間、１日、及び１か月のうちの１つであることを特徴とする請求項１に記載のリスクユニットベースの保険システム。
【請求項３】
前記ユーザに対する費用は、各リスクユニットと関連付けられ、確定された日付に基づいて判定されることを特徴とする請求項１に記載のリスクユニットベースの保険システム。
【請求項４】
前記１つ以上のプロセッサによって実行されると前記保険システムサーバに以下の、
前記リスクユニット口座内のリスクユニット数が、所定の閾値を下回るかどうか判定する処理と、
前記リスクユニット数が前記所定の閾値を下回ると判定したことに応答して、前記ユーザに、少なくとも１つの補充オプションを提供する処理と、を実行させる複数の命令をさらに含むことを特徴とする請求項１に記載のリスクユニットベースの保険システム。
【請求項５】
前記少なくとも１つの補充オプションは、前記ユーザのモバイル機器を介して、前記ユーザに提供されることを特徴とする請求項４に記載のリスクユニットベースの保険システム。
【請求項６】
前記１つ以上のプロセッサによって実行されると前記保険システムサーバに以下の、
前記ユーザに前記リスクユニット口座内のリスクユニット数を含む通知を提供する処理を実行させる複数の命令をさらに含むことを特徴とする請求項４に記載のリスクユニットベースの保険システム。
【請求項７】
少なくとも１つのプロセッサと複数のコンピュータ可読命令を記憶する少なくとも１つのメモリとを含む保険システムサーバと、
少なくとも１つのプロセッサと複数のコンピュータ可読命令を記憶する少なくとも１つのメモリとを含む車載コンピューティング機器と、を備え、
前記保険システムサーバの前記少なくとも１つのメモリに記憶された前記複数のコンピュータ可読命令が前記保険システムサーバの前記少なくとも１つのプロセッサによって実行されると、前記保険システムサーバは以下の、
ユーザから、車両についてのリスクユニットベースの保険ポリシーを得るための要求を受信する処理と、
前記受信された要求に応答して、前記車両についての前記リスクユニットベースの保険ポリシーを生成する処理と、
前記リスクユニットベースの保険ポリシーと関連付けられたリスクユニット口座に、各リスクユニットが平均的ユーザに所定期間保険を提供するための費用を表す所定数のリスクユニットを預ける処理と、を実行し、
前記車載コンピューティング機器の前記少なくとも１つのメモリに記憶された前記複数のコンピュータ可読命令が前記車載コンピューティング機器の前記少なくとも１つのプロセッサによって実行されると、前記車載コンピューティング機器は以下の、
前記車両上に配置された少なくとも１つのセンサから、前記ユーザ、及び前記車両が操作されている環境のうちの少なくとも１つと関連付けられた運転データを受信する処理と、
前記受信された運転データを分析して、前記リスクユニットの消費率を判定することと、
前記車載コンピューティング機器の少なくとも車両表示器上に、前記判定された消費率を表示する処理と、を実行することを特徴とするリスクユニットベースの保険システム。
【請求項８】
前記車載コンピューティング機器の前記少なくとも１つのメモリは、前記少なくとも１つのプロセッサによって実行されると前記車載コンピューティング機器に以下の、
前記保険システムサーバに対して前記判定された消費率を送信する処理を実行させる複数の命令をさらに含むことを特徴とする請求項７に記載のリスクユニットベースの保険システム。
【請求項９】
前記保険システムの前記少なくとも１つのメモリは、前記少なくとも１つプロセッサによって実行されると前記保険システムサーバに以下の、
前記送信された判定された消費率を受信する処理と、
前記判定された消費率に基づいて、前記リスクユニット口座内の前記リスクユニットの数を減らす処理と、を実行させる複数の命令をさらに含むことを特徴とする請求項８に記載のリスクユニットベースの保険システム。
【請求項１０】
前記保険システムの前記少なくとも１つのメモリは、前記少なくとも１つのプロセッサによって実行されると前記保険システムサーバに以下の、
前記ユーザのモバイル機器上に前記判定された消費率を表示する処理を実行させる複数の命令をさらに含むことを特徴とする請求項８に記載のリスクユニットベースの保険システム。
【請求項１１】
前記保険システムサーバの前記少なくとも１つのメモリは、前記少なくとも１つのプロセッサによって実行されると前記保険システムサーバに以下の、
前記リスクユニット口座内のリスクユニット数が所定の閾値を下回るかどうかを判定する処理と、
前記リスクユニット数が前記所定の閾値を下回ると判定したことに応答して、前記ユーザのための少なくとも１つの補充オプションを判定する処理と、
前記車載コンピューティング機器の少なくとも前記車両表示器によって、前記少なくとも１つの補充オプションを表示する処理と、を実行させる複数の命令をさらに含むことを特徴とする請求項７に記載のリスクユニットベースの保険システム。
【請求項１２】
前記少なくとも１つの補充オプションは、前記ユーザのモバイル機器を介してさらに表示されることを特徴とする請求項１１記載のリスクユニットベースの保険システム。
【請求項１３】
少なくとも１つのプロセッサと複数のコンピュータ可読命令を記憶する少なくとも１つのメモリとを含む保険システムサーバと、
少なくとも１つのプロセッサと複数のコンピュータ可読命令を記憶する少なくとも１つのメモリとを含む車載コンピューティング機器と、を備え、
前記保険システムサーバの前記少なくとも１つのメモリに記憶された前記複数のコンピュータ可読命令が前記保険システムサーバの前記少なくとも１つのプロセッサによって実行されると、前記保険システムサーバは以下の、
ユーザから、車両についてのリスクユニットベースの保険ポリシーを得るための要求を受信する処理と、
前記受信された要求に応答して、前記車両についての前記リスクユニットベースの保険ポリシーを生成する処理と、
前記リスクユニットベースの保険ポリシーと関連付けられたリスクユニット口座に、各リスクユニットが平均的ユーザに所定期間保険を提供するための費用を表す所定数のリスクユニットを預ける処理と、を実行し、
前記車載コンピューティング機器の前記少なくとも１つのメモリに記憶された前記複数のコンピュータ可読命令が前記車載コンピューティング機器の前記少なくとも１つのプロセッサによって実行されると、前記車載コンピューティング機器は以下の、
前記車両上に配置された少なくとも１つのセンサから、前記ユーザ、及び前記車両が操作されている環境のうちの少なくとも１つと関連付けられた運転データを受信する処理と、
前記受信された運転データを分析して、前記リスクユニットの消費率を判定する処理と、
前記ユーザの運転挙動、及び前記車両が操作されている前記環境のうちの少なくとも１つに対する、少なくとも１つの推奨される変更を判定する処理と、
前記ユーザに対して前記少なくとも１つの推奨される変更を表示する処理と、を実行することを特徴とするリスクユニットベースの保険システム。
【請求項１４】
前記少なくとも１つの推奨される変更は、前記車載コンピューティング機器の車両表示器を介して、前記ユーザに表示されることを特徴とする請求項１３に記載のリスクユニットベースの保険システム。
【請求項１５】
前記少なくとも１つの推奨される変更は、前記ユーザのモバイル機器を介して、前記ユーザに表示されることを特徴とする請求項１３に記載のリスクユニットベースの保険システム。
【請求項１６】
前記ユーザの前記運転挙動は、速度、ブレーキング時間、ブレーキング距離、及び車両間距離のうちの少なくとも１つを含むことを特徴とする請求項１３に記載のリスクユニットベースの保険システム。
【請求項１７】
前記車両が操作されている前記環境は、道路のタイプ、時刻、交通量、及び気象条件のうちの少なくとも１つを含むことを特徴とする請求項１３に記載のリスクユニットベースの保険システム。
【請求項１８】
前記リスクユニットの前記消費率は、リアルタイムの運転データに基づいて判定されることを特徴とする請求項１、７又は１３に記載のリスクユニットベースの保険システム。